(57)【要約】【課題】広域帯域で減衰効果を大きくできるとともに、負荷が複数のコア部の一部に加わっても、複数のコア部間でずれが生じることを抑制すること。【解決手段】第１のコア部は、基礎台１１０と、複数の保持部１１２と、収容部１１３と、第１の係合部１１４とを有する。複数の保持部１１２は、基礎台１１０の一主面１１１ａ上に設けられる。収容部１１３は、基礎台１１１の一主面１１１ａ上であって、複数の保持部１１２の間に設けられる。また、収容部１１３は、第２のコア部１２０を収容する。第１の係合部１１４は、複数の保持部１１２の各々に形成されている。第２のコア部１２０は、第２の係合部１２４を有する。この第２の係合部１２４は、第１の係合部１１０と嵌り合う。第２のコア部１２０が収容部１１３に収容されたとき、第１の係合部１１４および第２の係合部１２４が互いに嵌り合う。【選択図】      図１
2015088690.tif 000002
【特許請求の範囲】
【請求項１】
第１の磁性材料により形成された第１のコア部と、前記第１の磁性材料と異なる第２の磁性材料により形成された第２のコア部とを備え、
前記第１のコア部は、
基礎台と、
前記基礎台の一主面上に設けられた複数の保持部と、
前記基礎台の前記一主面上であって、前記複数の保持部の間に設けられ、前記第２のコア部を収容する収容部と、
前記複数の保持部の各々に形成された第１の係合部とを有し、
前記第２のコア部は、
前記第１の係合部と嵌り合う第２の係合部とを有し、
前記第２のコア部が前記収容部に収容されたとき、前記第１の係合部および前記第２の係合部が互いに嵌り合うチョークコイル。
【請求項２】
前記第１のコア部の前記複数の保持部の各々に形成された第３の係合部と、
前記第２のコア部に形成され、前記第３の係合部と嵌り合う第４の係合部とをさらに備え、
前記第２のコア部が前記収容部に収容されたとき、前記第３の係合部および前記第４の係合部が互いに嵌り合う請求項１に記載のチョークコイル。
【請求項３】
前記第１の係合部は、前記複数の保持部の各々に凸状に形成され、前記第２の係合部は、前記第２のコア部に凹状に形成された請求項１または２に記載のチョークコイル。
【請求項４】
前記第３の係合部は、前記複数の保持部の各々に凹状に形成され、前記第４の係合部は、前記第２のコア部に凸状に形成されている請求項２または３に記載のチョークコイル。
【請求項５】
前記第２のコア部の中央部に形成された貫通孔と、
前記第１のコア部の前記基礎台の前記一主面上に突出するように形成され、前記貫通孔に嵌り合う突出部とを備え、
前記第２のコア部が前記収容部に収容されたとき、前記突出部および前記貫通孔が互いに嵌り合う請求項１〜４のいずれか１項に記載のチョークコイル。
【請求項６】
第１の磁性材料により形成された第１のコア部と、前記第１の磁性材料と異なる第２の磁性材料により形成された第２のコア部とを備えたチョークコイルの製造方法であって、
複数の保持部を基礎台の一主面上に設け、前記基礎台の前記一主面上であって、前記複数の保持部の間に、前記第２のコア部を収容する収容部を設け、前記複数の保持部の各々に第１の係合部を形成することで、前記第１のコア部を形成する第１のコア部形成ステップと、
前記第１の係合部と嵌り合う第２の係合部を設けて、前記第２のコア部を形成する第２のコア部形成ステップと、
前記第２のコア部を前記収容部に収容して、前記第１の係合部および前記第２の係合部を嵌め合う組み付けステップとを含むチョークコイルの製造方法。
【発明の詳細な説明】
【技術分野】
【０００１】
本発明は、チョークコイルに関し、例えば、異種のコア部を有するチョークコイルに関する。
【背景技術】
【０００２】
近年、様々な電子装置の高性能化に伴って、大きな雑音が、当該電子装置に搭載された電子回路から電子装置の外へ漏洩することがあった。また、電子装置で使用する周波数範囲も広範囲に設定されている。この雑音の発生を抑制するために、電子装置の電源入力回路部に含まれるフィルタ回路も、広帯域に対応することが要求されている。このため、異種のチョークコイルとして、低周波および高周波のそれぞれに対応するチョークコイルを使用する装置が増えてきている。
【０００３】
一方、電子装置の小型化も進んできており、チョークコイルの実装スペースも限定される。このため、電子装置を特殊な構造にする必要が生じ、製造性の悪化やコストの上昇が生じてしまっていた。
【０００４】
これらの問題を解決する一手段として、異種のコア部を重ねることによって、ノイズフィルタ用チョークコイルを構成する技術が採用されている。異種のコア部とは、例えば、低周波領域に減衰効果が大きいコア部と、高周波領域に減衰効果が大きいコア部である。
【０００５】
このとき、チョークコイルは異種のコア部を用いて構成されているので、ノイズフィルタの周波数特性を広帯域に適応させている。この異種のコア部を組み合わせて、組み合わされたコア部に巻き線を行うことにより、低コストで広帯域に対応するノイズフィルタを取得することができる。
【０００６】
特許文献１には、フィルタの技術として、異種のコア部（異なる透磁性特性を示すコア部）を組み合わせた後に巻き線を行う技術が、開示されている。このとき、磁路を横断する方向の断面において、一方のコア部が、他方のコア部を囲むように、配置されている。
【先行技術文献】
【特許文献】
【０００７】
【特許文献１】特開平３−６２６０７号公報
【発明の概要】
【発明が解決しようとする課題】
【０００８】
しかしながら、異種のコア部を重ね合わせた場合、横方向の力が加わると、一方のコア部が横ずれする可能性があった。特許文献１に記載の技術では、一方のコア部の内側はすり鉢状に形成され、他方のコア部がすり鉢状に形成された斜面に沿って一方のコア部の内側に収容されている。このため、特許文献１に記載の技術であっても、他のコア部が、一方のコア部の内側の斜面に沿って、移動してしまう可能性があった。
【０００９】
このように、一方のコア部が他方のコア部に対して横ずれすると、ノイズフィルタの周波数特性に影響を及ぼすおそれがあるという問題があった。特に、車載機器や、航空宇宙機器や、工場の生産ラインの自動化で使用される産業機器や、屋外設置型通信機器等に、チョークコイルを用いる場合、これらの機器が振動することによって、チョークコイルのコア部が横ずれしないように、対策を講じることが要求されている。
【００１０】
本発明は、このような事情を鑑みてなされたものであり、本発明の目的は、広域帯域で減衰効果を大きくできるとともに、負荷が複数のコア部の一部に加わっても複数のコア部間でずれが生じることを抑制できるチョークコイルを提供することにある。
【課題を解決するための手段】
【００１１】
本発明のチョークコイルは、第１の磁性材料により形成された第１のコア部と、前記第１の磁性材料と異なる第２の磁性材料により形成された第２のコア部とを備え、前記第１のコア部は、基礎台と、前記基礎台の一主面上に設けられた複数の保持部と、前記基礎台の前記一主面上であって、前記複数の保持部の間に設けられ、前記第２のコア部を収容する収容部と、前記複数の保持部の各々に形成された第１の係合部とを有し、前記第２のコア部は、前記第１の係合部の各々と嵌り合う第２の係合部とを有し、前記第２のコア部が前記収容部に収容されたとき、前記第１の係合部および前記第２の係合部が互いに嵌り合う。
【００１２】
本発明のチョークコイルの製造方法は、第１の磁性材料により形成された第１のコア部と、前記第１の磁性材料と異なる第２の磁性材料により形成された第２のコア部とを備えたチョークコイルの製造方法であって、複数の保持部を基礎台の一主面上に設け、前記基礎台の前記一主面上であって、前記複数の保持部の間に、前記第２のコア部を収容する収容部を設け、前記複数の保持部の各々に第１の係合部を形成することで、前記第１のコア部を形成する第１のコア部形成ステップと、前記第１の係合部と嵌り合う第２の係合部を設けて、前記第２のコア部を形成する第２のコア部形成ステップと、前記第２のコア部を前記収容部に収容して、前記第１の係合部および前記第２の係合部を嵌め合う組み付けステップとを含む。
【発明の効果】
【００１３】
本発明にかかるチョークコイル等によれば、広域帯域で減衰効果を大きくできるとともに、負荷が複数のコア部の一部に加わっても複数のコア部間でずれが生じることを抑制できる。
【図面の簡単な説明】
【００１４】
【図１】本発明の第１の実施の形態におけるチョークコイルの構成を示す分解斜視図である。
【図２】本発明の第１の実施の形態におけるチョークコイルの構成を示す外観斜視図である。
【図３】本発明の第１の実施の形態におけるチョークコイルの製造フローを示す図である。
【図４】本発明の第２の実施の形態におけるチョークコイルの構成を示す図である。図４（ａ）は、本発明の第２の実施の形態におけるチョークコイルの上面側の構成を示す上面図である。図４（ｂ）は、本発明の第２の実施の形態におけるチョークコイルの側面側の構成を示す側面図である。
【図５】本発明の第２の実施の形態におけるチョークコイルの製造フローを示す図である。
【発明を実施するための形態】
【００１５】
＜第１の実施の形態＞
本発明の第１の実施の形態におけるチョークコイル１００の構成について、図に基づいて説明する。図１は、チョークコイル１００の構成を示す分解斜視図である。図２は、チョークコイル１００の構成を示す外観斜視図である。ここでは、コモンモードチョークコイルを例として、チョークコイル１００を説明する。なお、チョークコイル１００には、巻き線が含まれるが、図面作成の便宜上、省略している。
【００１６】
図１および図２に示されるように、チョークコイル１００は、第１のコア部１１０と、第２のコア部１２０とを備えている。また、チョークコイル１００の外周には、巻き線（不図示）が巻かれている。第１のコア部１１０は、第１の磁性材料により形成されている。第２のコア部１２０は、第１の磁性材料と異なる第２の磁性材料により形成されている。例えば、第１のコア部１１０の材料に、高周波領域（例えば、１ＭＨｚ以上）で減衰する磁性材料（例えば、フェライトコア）を用い、第２のコア部１２０の材料に、低周波領域（例えば、１ＭＨｚ以下）で減衰する磁性材料（例えば、積層コア）を用いる。
【００１７】
これにより、第１のコア部１１０と第２のコア部１２０の減衰効果の周波数を互いに異ならせることができる。この結果、チョークコイル１００の減衰効果を広域帯域で大きくなるように設定できる。また、図１および図２に示されるように、第１のコア部１１０とおよび第２のコア部１２０は、凹凸の構造を有している。
【００１８】
図１および図２に示されるように、第１のコア部１１０は、基礎台１１１と、複数の保持部１１２と、収容部１１３と、第１の係合部１１４と、突出部１１５とを備えている。
【００１９】
基礎台１１１は、図１および図２に示されるように、例えば、円柱状に形成されている。なお、基礎台１１１の形状は、円柱状に限定されず、角柱状や楕円柱状であってもよい。
【００２０】
複数の保持部１１２は、図１および図２に示されるように、基礎台１１１の一主面１１１ａ上のうち、基礎台１１１の外周側に、互いに向かい合うように設けられている。なお、図１および図２では、保持部１１２は２個とした。しかし、後述の収容部１１３を設けることができれば、保持部１１２を３個以上としてもよい。
【００２１】
収容部１１３は、図１に示されるように、基礎台１１１の一主面１１１ａ上であって、複数の保持部１１２の間に設けられている。また、図２に示されるように、収容部１１３には、第２のコア部１２０が収容される。
【００２２】
図１および図２に示されるように、第１の係合部１１４は、複数の保持部１１２の各々に凸状に形成されている。この第１の係合部１１４および後述の第２の係合部１２４は、互いに嵌り合う。
【００２３】
図１および図２に示されるように、突出部１１５は、基礎台１１１の一主面１１１ａ上に突出するように形成されている。突出部１１５は、後述の第２のコア部１２０の貫通孔１２５に嵌り合う。図１および図２では、突出部１１５は円柱状に形成されている。一方、突出部１１５を角柱状や楕円柱状に形成してもよい。
【００２４】
図１および図２に示されるように、第２のコア部１１０は、第２の係合部１２４と、貫通孔１２５とを有している。
【００２５】
図１および図２に示されるように、第２の係合部１２４は、第２のコア部１１０に凹状に形成されている。第２の係合部１２４は、第１の係合部１１４と嵌り合う。すなわち、図１の矢印で示すように、第２のコア部１２０が第１のコア部１１０の収容部１１３内に収容されたとき、第１の係合部１１４および第２の係合部１２４が互いに嵌り合う。これにより、負荷が複数のコア部の一部（例えば、第２のコア部１２０）に加わっても複数のコア部１１０、１２０間でずれが生じることを抑制できる。なお、第２の係合部１２４の個数は、第１の係合部１１４の個数に対応している。
【００２６】
図１および図２に示されるように、貫通孔１２５は、第２のコア部１２０の中央部に形成されている。貫通孔１２５の形状は、突出部１１５の形状に対応している。すなわち、図２に示されるように、第２のコア部１２０が収容部１１３に収容されたとき、突出部１１５および貫通孔１２５は互いに嵌り合う。
【００２７】
以上、チョークコイル１１０の構成について説明した。
【００２８】
次に、チョークコイル１１０の製造方法について、説明する。図３は、チョークコイル１１０の製造フローを示す図である。
【００２９】
図３に示されるように、まず、第１のコア部１１０を形成する。最初に、基礎台１１１を準備する（ステップ（ＳＴＥＰ：以下、単にＳと称する。）３０１）。基礎台１１１の材料には、第１の磁性材料を用いる。第１の磁性材料には、例えば、フェライトコアを用いる。
【００３０】
次に、複数の保持部１１２を基礎台１１１に取り付けて、収容部１１３と第１の係合部１１４を設定する（Ｓ３０２）。すなわち、ここでは、基礎台１１１の一主面１１１ａのうちで外周側に２個の保持部１１２を取り付ける。これにより、収容部１１３が、基礎台１１０の一主面１１１ａ上であって、複数の保持部１１２の間に、設けられる。また、２つの保持部１１２の各々の内周面側の凸状の角部を、第１の係合部１１４と設定する。なお、保持部１１２の材料には、第１の磁性材料を用いる。
【００３１】
次に、突出部１１５を基礎台１１１の一主面１１１ａの中央部に取り付ける（Ｓ３０３）。この突出部１１５の取り付け位置は、第２のコア部１２０の貫通孔１２５の形成位置に、対応している。なお、突出部１１５の材料には、第１の磁性材料を用いる。
【００３２】
以上で、第１のコア部１１０の形成が完了する。なお、図３のＳ３０１〜Ｓ３０３の処理は、本発明の第１のコア部形成ステップに対応する。
【００３３】
次に、第２のコア部１２０を形成する。最初に、第２のコア部１２０の基材を準備する（Ｓ３０４）。ここでは、第２のコア部１２０の基材の材料を、第２の磁性材料とする。この第２の磁性材料は、第１のコア部１１０の材料である第１の磁性材料と異なる。この第２の磁性材料に、例えば、積層コアを用いる。
【００３４】
次に、第２のコア部１２０の凹部に、第２の係合部１２４を設定する（Ｓ３０５）。この第２の係合部１２４の位置は、第１のコア部１１０の第１の係合部１１４の位置に対応している。すなわち、第２のコア部１２０を第１のコア部１１０の収納部１１３に収容したとき、第１の係合部１１４および第２の係合部１２４が互いに嵌り合う。
【００３５】
次に、第２のコア部１２０に貫通孔１２５を設定する（Ｓ３０６）。すなわち、第２のコア部１２０の中央部に、貫通孔１２５を形成する。このとき、貫通孔１２５の設置位置は、第１のコア部１１０の突起部１１５の設置位置に対応している。
【００３６】
以上で、第２のコア部１２０の形成が完了する。なお、図３のＳ３０４〜Ｓ３０６の処理は、本発明の第２のコア部形成ステップに対応する。
【００３７】
次に、第１のコア部１１０と第２のコア部１２０とを組み合わせる（Ｓ３０７）。すなわち、第２のコア部１２０を、第１のコア部１１０の収容部１１３内に収容する。このとき、第１の係合部１１４および第２の係合部１２４を互いに嵌め合せる。なお、図３のＳ３０７の処理は、本発明の組み付けステップに対応する。
【００３８】
最後に、第１のコア部１１０および第２のコア部１２０の組み合わせ構造体の周囲を、巻き線（不図示）で巻く（Ｓ３０８）。
【００３９】
以上で、チョークコイル１１０が完成する。
【００４０】
以上の通り、本発明の第１の実施の形態におけるチョークコイル１００は、第１のコア部１１０と、第２のコア部１２０とを備えている。第１のコア部１１０は、第１の磁性材料により形成されたている。第２のコア部１２０は、第１の磁性材料と異なる第２の磁性材料により形成されている。
【００４１】
第１のコア部は、基礎台１１０と、複数の保持部１１２と、収容部１１３と、第１の係合部１１４とを有する。複数の保持部１１２は、基礎台１１０の一主面１１１ａ上に設けられる。収容部１１３は、基礎台１１１の一主面１１１ａ上であって、複数の保持部１１２の間に設けられる。また、収容部１１３は、第２のコア部１２０を収容する。第１の係合部１１４は、複数の保持部１１２の各々に形成されている。
【００４２】
第２のコア部１２０は、第２の係合部１２４を有する。この第２の係合部１２４は、第１の係合部１１０と嵌り合う。
【００４３】
そして、第２のコア部１２０が収容部１１３に収容されたとき、第１の係合部１１４および第２の係合部１２４が互いに嵌り合う。
【００４４】
このように、チョークコイル１００では、第１のコア部１１０と第２のコア部１２０の材料に、互いに異なる磁性材料を用いた。これにより、チョークコイル１００の特性として、広域帯域で減衰効果を大きくすることができる。具体的には、例えば、第１のコア部１１０の材料に、高周波領域（例えば、１ＭＨｚ以上）で減衰する磁性材料（例えば、フェライトコア）を用い、第２のコア部１２０の材料に、低周波領域（例えば、１ＭＨｚ以下）で減衰する磁性材料（例えば、積層コア）を用いる。
【００４５】
また、第２のコア部１２０が第１のコア部１１０の収容部１１３内に収容されたとき、第１の係合部１１４および第２の係合部１２４が互いに嵌り合う。これにより、負荷が複数のコア部の一部（例えば、第２のコア部１２０）に加わっても複数のコア部１１０、１２０間でずれが生じることを抑制できる。
【００４６】
したがって、本発明の第１の実施の形態におけるチョークコイル１００によれば、広域帯域で減衰効果を大きくできるとともに、負荷が複数のコア部の一部に加わっても複数のコア部間でずれが生じることを抑制できる。この結果、コア部間の横ずれを抑制できるので、チョークコイル１００を用いるノイズフィルタの周波数特性への影響を小さくすることができる。
【００４７】
また、チョークコイル１００では、第１の係合部１１４および第２の係合部１２４が互いに嵌り合うので、チョークコイルを搭載する電子機器が振動した際に、第１のコア部１１０と第２のコア部１２０とが横ずれすることを効果的に抑制できる。したがって、車載機器や、航空宇宙機器や、工場の生産ラインの自動化で使用される産業機器や、屋外設置型通信機器等、使用時に大きな振動が生じうる機器にも、本発明のチョークコイル１００を用いることができる。
【００４８】
また、スイッチング電源や各電子機器において、給電線や通信線から漏洩する不要雑音を、各国のＥＭＩ規格に適合する強度まで広帯域に減衰させる必要がある場合、その給電回路や通信回路に本発明のチョークコイル１００を使用することができる。これによって、スイッチング電源や各電子機器の小型化や低コスト化に寄与することができる。
【００４９】
本発明の第１の実施の形態におけるチョークコイル１００において、第１の係合部１１４は、複数の保持部１１２の各々に凸状に形成されている。第２の係合部１２４は、第２のコア部１２０に凹状に形成されている。これにより、第１の係合部１１４および第２の係合部１２４を、互いに効率よく嵌め合せることができる。
【００５０】
本発明の第１の実施の形態におけるチョークコイル１００は、貫通孔１２５と、突出部１１５とを備えている。貫通孔１２５は、第２のコア部１２０の中央部に形成されている。突出部１１５は、第１のコア部１１０の基礎台１１１の一主面１１１ａ上に突出するように形成されている。突出部１１５は、貫通孔１２５に嵌り合う。そして、第２のコア部１２０が収容部１１３に収容されたとき、突出部１１５および貫通孔１２５が互いに嵌り合う。これにより、第１のコア部１１０および第２のコア部１２０を、より確実に嵌め合せることができる。
【００５１】
本発明の第１の実施の形態におけるチョークコイル１００の製造方法は、第１のコア部１１０と、第２のコア部１２０とを備えたチョークコイル１００の製造方法である。第１のコア部１１０は、第１の磁性材料により形成されたている。第２のコア部１２０は、第１の磁性材料と異なる第２の磁性材料により形成されている。
【００５２】
チョークコイル１００の製造方法は、第１のコア部形成ステップと、第２のコア部形成ステップと、組み付けステップとを含んでいる。
第１のコア部形成ステップでは、複数の保持部１１２を基礎台１１１の一主面１１１上ａに設け、基礎台１１１の一主面１１１ａ上であって、複数の保持部１１２の間に、第２のコア部１２０を収容する収容部１１３を設け、複数の保持部１１２の各々に第１の係合部１１４を形成することで、第１のコア部１１０を形成する。
【００５３】
第２のコア部形成ステップでは、第１の係合部１１４と嵌り合う第２の係合部１２４を設けて、第２のコア部１２０を形成する。
【００５４】
組み付けステップは、第２のコア部１２０を収容部１１３に収容して、第１の係合部１１４および第２の係合部１２４を嵌め合う。
【００５５】
このチョークコイル１００の製造方法は、上述したチョークコイル１００の発明に対応している。このため、チョークコイル１００の製造方法によっても、上述した効果と同様の効果を奏する。
【００５６】
＜第２の実施の形態＞
本発明の第２の実施の形態におけるチョークコイル１００Ａの構成について、図に基づいて説明する。
【００５７】
図４は、チョークコイル１００Ａの構成を示す図である。図４（ａ）は、チョークコイル１００Ａの上面側の構成を示す上面図である。図４（ｂ）は、チョークコイル１００Ａの側面側の構成を示す側面図である。ここでは、コモンモードチョークコイルを例として、チョークコイル１００Ａを説明する。なお、チョークコイル１００Ａには、巻き線が含まれるが、図面作成の便宜上、省略している。また、図４では、図１〜図３で示した各構成要素と同等の構成要素には、図１〜図３に示した符号と同等の符号を付している。
【００５８】
図４（ａ）および図４（ｂ）に示されるように、チョークコイル１００Ａは、第１のコア部１１０Ａと、第２のコア部１２０Ｂとを備えている。また、チョークコイル１００Ａの外周には、巻き線（不図示）が巻かれている。第１のコア部１１０Ａは、第１の磁性材料により形成されている。第２のコア部１２０Ａは、第１の磁性材料と異なる第２の磁性材料により形成されている。例えば、第１のコア部１１０の材料に、高周波領域（例えば、１ＭＨｚ以上）で減衰する磁性材料（例えば、フェライトコア）を用い、第２のコア部１２０の材料に、低周波領域（例えば、１ＭＨｚ以下）で減衰する磁性材料（例えば、積層コア）を用いる。
【００５９】
これにより、第１のコア部１１０Ａと第２のコア部１２０Ａの減衰効果の周波数を互いに異ならせることができる。この結果、チョークコイル１００Ａの減衰効果を広域帯域で大きくすることができる。また、図４（ａ）および図４（ｂ）に示されるように、第１のコア部１１０Ａとおよび第２のコア部１２０Ａは、凹凸の構造を有している。
【００６０】
ここで、第１の実施の形態におけるチョークコイル１００と、第２の実施の形態におけるチョークコイル１００Ａとを、対比する。
【００６１】
図４（ａ）および図４（ｂ）に示されるように、チョークコイル１００Ａは、第１の係合部１１４および第２の係合部１２４に加えて、第３の係合部１１６および第４の係合部１２６を有する。これに対して、図１および図２に示されるように、チョークコイル１００は、第１の係合部１１４および第２の係合部１２４を有するが、第３の係合部１１６および第４の係合部１２６を有さない。この点で、チョークコイル１００Ａおよびチョークコイル１００は、互いに相違する。
【００６２】
図４（ａ）および図４（ｂ）に示されるように、第１のコア部１１０Ａは、基礎台１１１と、複数の保持部１１２Ａと、収容部１１３と、第１の係合部１１４と、突出部１１５と、第３の係合部１１６とを備えている。
【００６３】
複数の保持部１１２Ａは、図４（ａ）および図４（ｂ）に示されるように、基礎台１１１の一主面１１１ａ上のうち、基礎台１１１の外周側に、互いに向かい合うように設けられている。なお、図４（ａ）および図４（ｂ）では、保持部１１２Ａは２個とした。しかし、後述の収容部１１３を設けることができれば、保持部１１２Ａを３個以上としてもよい。
【００６４】
図４（ａ）および図４（ｂ）に示されるように、第３の係合部１１６は、複数の保持部１１２Ａの各々の中央部に凹状に形成されている。この第３の係合部１１６および後述の第４の係合部１２６は、互いに嵌り合う。
【００６５】
図４（ａ）および図４（ｂ）に示されるように、第２のコア部１１０Ａは、第２の係合部１２４と、貫通孔１２５と、第４の係合部１２６とを有している。
【００６６】
図４（ａ）および図４（ｂ）に示されるように、第４の係合部１２６は、第２のコア部１１０Ａに凸状に形成されている。第４の係合部１２６は、第３の係合部１１６と嵌り合う。
【００６７】
すなわち、図４（ａ）および図４（ｂ）に示されるように、第２のコア部１２０Ａが第１のコア部１１０Ａの収容部１１３内に収容されたとき、第１の係合部１１４および第２の係合部１２４が互いに嵌り合うとともに、第３の係合部１１６および第４の係合部１２６が互いに嵌り合う。
【００６８】
これにより、負荷が複数のコア部の一部（例えば、第２のコア部１２０Ａ）に加わっても複数のコア部１１０Ａ、１２０Ａ間でずれが生じることを抑制できる。なお、第２の係合部１２４の個数は、第１の係合部１１４の個数に対応している。同様に、第４の係合部１２６の個数は、第２の係合部１１６の個数に対応している。
【００６９】
以上、チョークコイル１１０Ａの構成について説明した。
【００７０】
次に、チョークコイル１１０Ａの製造方法について、説明する。図５は、チョークコイル１１０Ａの製造フローを示す図である。
【００７１】
ここで、図３と図５を対比する。図５のＳ５０１〜Ｓ５０８は、図３のＳ３０１〜Ｓ３０８に対応する。ただし、第３の係合部１１６および第４の係合部１２６をチョークコイル１００Ａに設けたことにより、特に、Ｓ５０２およびＳ５０５の具体的な処理が、図３のＳ３０２およびＳ３０５と、異なっている。以下、図５に従って、チョークコイル１１０Ａの製造方法を具体的に説明する。なお、図３で説明した内容と同等の処理については、簡略な説明に留める。
【００７２】
図５に示されるように、まず、第１のコア部１１０Ａを形成する。最初に、基礎台１１１を準備する（Ｓ５０１）。
【００７３】
次に、複数の保持部１１２Ａを基礎台１１１に取り付けて、収容部１１３と第１の係合部１１４と第３の係合部１１６を設定する（Ｓ５０２）。すなわち、ここでは、基礎台１１１の一主面１１１ａのうちで外周側に２個の保持部１１２Ａを取り付ける。これにより、収容部１１３が、基礎台１１０の一主面１１１ａ上であって、複数の保持部１１２Ａの間に、設けられる。また、２つの保持部１１２Ａの各々の内周面側の凸状の角部を、第１の係合部１１４と設定する。また、２つの保持部１１２Ａの各々の内周面の中央部に、凹状の第３の係合部１１６を設ける。なお、保持部１１２Ａの材料には、第１の磁性材料を用いる。この第１の磁性材料には、例えば、フェライトコアを用いる。
【００７４】
次に、突出部１１５を基礎台１１１の一主面１１１ａの中央部に取り付ける（Ｓ５０３）。突出部１１５の材料には、第１の磁性材料を用いる。
【００７５】
以上で、第１のコア部１１０Ａの形成が完了する。
【００７６】
次に、第２のコア部１２０Ａを形成する。最初に、第２のコア部１２０Ａの基材を準備する（Ｓ５０４）。ここでは、第２のコア部１２０Ａの基材の材料を、第２の磁性材料とする。この第２の磁性材料は、第１のコア部１１０Ａの材料である第１の磁性材料と異なる。この第２の磁性材料に、例えば、積層コアを用いる。
【００７７】
次に、第２のコア部１２０Ａの凹部に、第２の係合部１２４と第４の係合部１２６を設定する（Ｓ５０５）。この第２の係合部１２４の位置は、第１のコア部１１０Ａの第１の係合部１１４の位置に対応している。第４の係合部１２６の位置は、第１のコア部１１０Ａの第３の係合部１１６の位置に対応している。
【００７８】
すなわち、第２のコア部１２０Ａを第１のコア部１１０Ａの収納部１１３に収容したとき、第１の係合部１１４および第２の係合部１２４が互いに嵌り合うとともに、第３の係合部１１６および第４の係合部１２６が互いに嵌り合う。
【００７９】
次に、第２のコア部１２０Ａに貫通孔１２５を設定する（Ｓ５０６）。すなわち、第２のコア部１２０Ａの中央部に、貫通孔１２５を形成する。
【００８０】
以上で、第２のコア部１２０Ａの形成が完了する。
【００８１】
次に、第１のコア部１１０Ａと第２のコア部１２０Ａとを組み合わせる（Ｓ５０７）。すなわち、第２のコア部１２０Ａを、第１のコア部１１０Ａの収容部１１３内に収容する。このとき、第１の係合部１１４および第２の係合部１２４を互いに嵌め合せるとともに、第３の係合部１１６および第４の係合部１２６を互いに嵌め合せる。
【００８２】
最後に、第１のコア部１１０Ａおよび第２のコア部１２０Ａの組み合わせ構造体の周囲を、巻き線（不図示）で巻く（Ｓ５０８）。
【００８３】
以上で、チョークコイル１１０Ａが完成する。
【００８４】
以上の通り、本発明の第２の実施の形態におけるチョークコイル１００Ａは、第３の係合部１１６と、第４の係合部１２６とを備えている。第３の係合部１１６は、第１のコア部１１０Ａの複数の保持部１１２Ａの各々に形成されている。第４の係合部１２６は、第２のコア部１２０Ａに形成されている。第４の係合部１２６は、第３の係合部１１６と嵌り合う。そして、第２のコア部１２０Ａが収容部１１３に収容されたとき、第１の係合部１１４および第２の係合部１２４が互いに嵌り合うとともに、第３の係合部１１６および第４の係合部１２６が互いに嵌り合う。
【００８５】
このように、チョークコイル１００Ａでは、第１の係合部１１４および第２の係合部１２４が互いに嵌り合う構成を採用するとともに、第３の係合部１１６および第４の係合部１２６が互いに嵌り合う構成を採用している。したがって、第１のコア部１１０Ａおよび第２のコア部１２０Ａが、より強固に組み合わされる。これにより、第１の実施の形態におけるチョークコイル１００よりも、より大きな負荷が複数のコア部の一部（例えば、第２のコア部１２０Ａ）に加わっても複数のコア部１１０Ａ、１２０Ａ間でずれが生じることをより確実に抑制できる。
【００８６】
したがって、本発明の第２の実施の形態におけるチョークコイル１００Ａによれば、広域帯域で減衰効果を大きくできるとともに、負荷が複数のコア部の一部に加わっても複数のコア部間でずれが生じることを抑制できる。この結果、コア部間の横ずれを抑制できるので、チョークコイル１００Ａを用いるノイズフィルタの周波数特性への影響を小さくすることができる。
【００８７】
本発明の第２の実施の形態におけるチョークコイル１００Ａにおいて、第３の係合部１１６は、複数の保持部１１２Ａの各々に凹状に形成されている。第４の係合部１２６は、第２のコア部１２０Ａに凸状に形成されている。これにより、第３の係合部１１６および第４の係合部１２６を、互いに効率よく嵌め合せることができる。
【００８８】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【００８９】
１００    チョークコイル
１００Ａ    チョークコイル
１１０    第１のコア部
１１０Ａ    第１のコア部
１１１    基礎台
１１１ａ    一主面
１１２    保持部
１１２Ａ    保持部
１１３    収容部
１１４    第１の係合部
１１５    突出部
１１６    第３の係合部
１２０    第２のコア部
１２０Ａ    第２のコア部
１２４    第２の係合部
１２５    貫通孔
１２６    第４の係合部
【図１】
2015088690.tif 000003
【図２】
2015088690.tif 000004
【図３】
2015088690.tif 000005
【図４】
2015088690.tif 000006
【図５】
2015088690.tif 000007